(57)【要約】【課題】比較的簡単な構成でありながら、不慣れな領域内でも道に迷わないように現在地から目的地へ至るルートを案内する。【解決手段】案内板装置１２のマーク１７にＩＣカード１１をかざすと、案内板装置１２とＩＣカード１１とは互いに通信する。案内板装置１２は、ＩＣカード１１から目的地である耳鼻咽喉科１９の位置データを取り込み、ＩＣカード１１は、案内板装置１２から現在地である交差点２ＦＢの位置データを取り込む。案内板装置１２は、ルートデータベースから、交差点２ＦＢから耳鼻咽喉科１９へ至るルート２０のデータを読み出し、対応するＬＥＤを点灯させる。ＩＣカード１１の有機ＥＬディスプレイに手を触れると、交差点２ＦＢから耳鼻咽喉科１９までのルートが地図と一緒に表示される。【選択図】図１
2010079784.tif 000002
【特許請求の範囲】
【請求項１】
カード本体の少なくとも片面に設けられ、所定の領域に係る情報を表示する表示部と、
前記カード本体に設けられた記憶部と、
この記憶部に記憶され、前記領域内に予め設定された複数個の現在地の位置情報，複数個の目的地の位置情報，及び前記現在地の位置情報と前記目的地の位置情報に基づいて予め設定された前記現在地から前記目的地へ至るルートの情報からなるルートデータベースと、
前記カード本体に設けられ、外部と非接触で各種の情報を遣り取りする通信部と、
この通信部に接続され、前記通信部が特定の目的地の位置情報を読み取ると、前記特定の目的地の位置情報を前記記憶部に記憶するとともに、前記通信部が現在地の位置情報を読み取ると、この現在地から前記特定の目的地へ至るルートの情報を前記ルートデータベースから読み出して、前記表示部に前記ルートを表示する制御部と
を備えたことを特徴とするＩＣカード。
【請求項２】
前記表示部は、前記ルートと一緒に、前記領域の地図も表示することを特徴とする請求項１記載のＩＣカード。
【請求項３】
前記表示部は、有機ＥＬディスプレイであることを特徴とする請求項１または２記載のＩＣカード。
【請求項４】
前記請求項１ないし３いずれか１項記載のＩＣカードと、
前記現在地の各々に設置され、前記領域の地図が前記ＩＣカードの表示部に表示されるサイズよりも大きなサイズでその表面部に表示された案内板本体と、
この案内板本体に設けられた案内板側記憶部と、
この案内板側記憶部に記憶され、前記領域内における案内板本体の設置場所である現在地の位置情報，前記複数個の目的地の位置情報，及び前記現在地から各目的地へ至るルートの情報からなる案内板側ルートデータベースと、
前記案内板本体に設けられ、前記各ルートを前記表面部に表示するルート表示部と、
前記案内板本体に設けられ、前記ＩＣカードの通信部と非接触で各種の情報を遣り取りする案内板側通信部と、
この案内板側通信部に接続され、前記案内板側通信部が前記ＩＣカードの通信部と通信し、前記ＩＣカードから特定の目的地の位置情報を読み取ると、前記案内板本体の設置場所である現在地から前記特定の目的地へ至るルートの情報を前記案内板側ルートデータベースから読み出し、前記ルートの情報に基づいて、前記ルート表示部を駆動して、前記表面部に前記ルートを表示する案内板側制御部と
を備えた案内板装置と
からなることを特徴とする道案内システム。
【請求項５】
前記ルート表示部は、前記表面部に設けられた複数個のＬＥＤからなることを特徴とする請求項４記載の道案内システム。
【発明の詳細な説明】
【技術分野】
【０００１】
本発明は、ＩＣカード及び道案内システムに関し、更に詳しくは所定の領域内で現在地から目的地へ至るルートを示すＩＣカード及び道案内システムに関するものである。
【背景技術】
【０００２】
総合病院、映画館、イベント会場、ショッピングセンター、大駐車場などの大規模な施設内では、利用者が迷わないように、入口近辺をはじめとして多くの箇所に案内板を設置している。この案内板には、施設内の地図を表示するとともに、その案内板の設置場所に該当する地図上の位置に、目立つ印や文言「現在地」を付し、利用者が立っている現在地を表示するようにしている。利用者は、案内板の地図で、自分がいる現在地を確認するとともに、その現在地から目的地までのルートを捜して、目的地に向かうことになる。
【０００３】
このように、上記のような施設を利用するには、利用者が自らの努力でルートを見つけて目的地に向かっているのが現状である。しかしながら、施設を利用することに不慣れな利用者にとっては、たいへんなストレスになるため、もっと便利にしてもらいたいという要望が多い。
【０００４】
このような要望に応えるものとして、例えば、サーバが所定の領域内の総目的地情報と設置通信端末の位置情報とを予め登録し、被誘導者が識別ＩＤと目的地とを登録して、所定の領域内の任意の設置通信端末から識別ＩＤと目的地とを入力すると、サーバが、現在地から目的地までの経路を算出し、音声、画像のほか設置通信端末の方向指示器を誘導すべき方向に指示するように駆動させることで、領域内のどの地点からでも、被誘導者が直感的に理解できるように目的地に誘導する経路誘導システムが知られている（特許文献１）。設置通信端末から識別ＩＤと目的地とを入力するに際しては、被誘導者識別ＩＤと目的地とが記録されたＩＣカードをリーダ／ライタ部で読み込ませる。
【特許文献１】特開２００６−０４７２７４号公報
【発明の開示】
【発明が解決しようとする課題】
【０００５】
しかしながら、上記特許文献１は、サーバ、パーソナルコンピュータ、通信回線網、多くの端末（携帯電話）を用い、さらに自動で動く方向指示器を設置するなど、非常に大規模なシステムであるため、実現するには莫大な予算を必要とすることが予想され、現実的ではないという問題がある。
【０００６】
本発明は、上記のような問題点を解決するためになされたもので、比較的簡単な構成でありながら、不慣れな領域内でも道に迷わないように現在地から目的地へ至るルートを案内することができるＩＣカード及び道案内システムを提供することを目的とする。
【課題を解決するための手段】
【０００７】
本発明のＩＣカードは、カード本体の少なくとも片面に設けられ、所定の領域に係る情報を表示する表示部と、前記カード本体に設けられた記憶部と、この記憶部に記憶され、前記領域内に予め設定された複数個の現在地の位置情報，複数個の目的地の位置情報，及び前記現在地と前記目的地に基づいて予め設定された前記現在地から前記目的地へ至るルートの情報からなるルートデータベースと、前記カード本体に設けられ、外部と非接触で各種の情報を遣り取りする通信部と、この通信部に接続され、前記通信部が特定の目的地の位置情報を読み取ると、前記特定の目的地の位置情報を前記記憶部に記憶するとともに、前記通信部が現在地の位置情報を読み取ると、この現在地から前記特定の目的地へ至るルートの情報を前記ルートデータベースから読み出して、前記表示部に前記ルートを表示する制御部とを備えたことを特徴とする。
【０００８】
前記表示部は、前記ルートと一緒に、前記領域の地図も表示することが好ましい。また、前記表示部は、有機ＥＬディスプレイであることが好ましい。
【０００９】
本発明の道案内システムは、上記ＩＣカードと、前記現在地の各々に設置され、前記領域の地図が前記ＩＣカードの表示部に表示されるサイズよりも大きなサイズでその表面部に表示された案内板本体と、この案内板本体に設けられた案内板側記憶部と、この案内板側記憶部に記憶され、前記領域内における案内板本体の設置場所である現在地の位置情報，前記複数個の目的地の位置情報，及び前記現在地から各目的地へ至るルートの情報からなる案内板側ルートデータベースと、前記案内板本体に設けられ、前記各ルートを前記表面部に表示するルート表示部と、前記案内板本体に設けられ、前記ＩＣカードの通信部と非接触で各種の情報を遣り取りする案内板側通信部と、この案内板側通信部に接続され、前記案内板側通信部が前記ＩＣカードの通信部と通信し、前記ＩＣカードから特定の目的地の位置情報を読み取ると、前記案内板本体の設置場所である現在地から前記特定の目的地へ至るルートの情報を前記案内板側ルートデータベースから読み出し、前記ルートの情報に基づいて、前記ルート表示部を駆動して、前記表面部に前記ルートを表示する案内板側制御部とを備えた案内板装置とからなることを特徴とする。
【００１０】
前記ルート表示部は、前記表面部に設けられた複数個のＬＥＤからなることが好ましい。
【発明の効果】
【００１１】
本発明のＩＣカード及び道案内システムによれば、外部との通信により得られた現在地と目的地とからルートデータベースを参照して現在地から目的地へ至るルートをカード本体の表示部に表示したり、案内板装置にルートを表示するので、比較的簡単な構成でありながら、不慣れな領域内でも道に迷わないように現在地から目的地へ至るルートを案内することができる。
【発明を実施するための最良の形態】
【００１２】
図１に示すように、本発明の実施形態である道案内システム１０は、ＩＣカード１１と案内板装置１２とからなり、大型の施設、例えば○○総合病院内で患者（利用者）等が道に迷わないように道案内する。案内板装置１２は、院内の通路が交差する交差点１ＦＡ，２ＦＡ，２ＦＢ等やエレベータホール等の壁に多数設置されている。
【００１３】
各案内板装置１２の表面１２ａには、１階（１Ｆ）の地図１４，２階（２Ｆ）の地図１５がそれぞれ描かれ、案内板装置１２が設置された位置である現在地から各目的地である各受診科へ至る各ルートを示すために、各ルートに沿って多数のＬＥＤ１６が埋め込まれている（図２参照）。
【００１４】
例えば、交差点２ＦＢ近くの壁に設置された案内板装置１２の表面１２ａ上に設けられたマーク１７にＩＣカード１１をかざすと、図２に示すように、交差点２ＦＢに対応するＬＥＤ１６が点滅点灯すると同時に、交差点２ＦＢから目的地である受診科、例えば耳鼻咽喉科１９へ至るルート２０に沿ったＬＥＤ１６が一斉に連続点灯する。
【００１５】
マーク１７にかざした後のＩＣカード１１には、同様に、交差点２ＦＢから耳鼻咽喉科１９へ至るルートが発光表示される。これにより、患者は、迷うことなく、交差点２ＦＢから耳鼻咽喉科１９まで行くことができる。以下、本発明の実施形態について詳しく説明する。なお、以後の説明において、院内における交差点や耳鼻咽喉科等に付した符号は、ＩＣカード１１と案内板装置１２の両方に共通して用いる。
【００１６】
ＩＣカードの外観を示す図３において、ＩＣカード１１は、○○総合病院で使用される診察券であり、一般に普及している矩形状のカードと同様の形状及びサイズ（約５４ｍｍ×８５ｍｍ）をしている。ＩＣカード１１の表面１１ａには、上方から順番に、「○○総合病院  診察券」、カルテＮｏ．、患者の名前、マーク１７にＩＣカード１１をかざすと、役立つ情報が得られる旨の文言やイラスト、「裏面に地図があります」の文言等が印刷されている。
【００１７】
図４に示すように、ＩＣカード１１の裏面１１ｂには、患者の受診する科が「耳鼻咽喉科」であることを示す受診科名２１と、その「耳鼻咽喉科」の場所が、２Ｆで、眼科２２の隣であることを示す概略的な場所の説明文２３が印刷されている他、有機ＥＬディスプレイ２４（表示部）が設けられている。有機ＥＬディスプレイは、周知のように、物質自体が発光する素子を用いており、バックライトが不要で薄型化が容易、かつ描画速度が高速で高画質であるという優れた特徴を有する。
【００１８】
有機ＥＬディスプレイ２４には、タッチセンサが設けられており、有機ＥＬディスプレイ２４に患者の手が接触してから、例えば５秒間、院内の１階（１Ｆ），２階（２Ｆ）の地図２５，２６を表示する。これにより、ＩＣカード１１に内蔵されている電池の無駄な消耗が防止される。
【００１９】
患者が院内の総合案内で受付を済ました後、有機ＥＬディスプレイ２４に手を触れると、地図２５，２６が表示されると同時に、総合案内２７から目的地である受診科までのルート２８，２９が地図２５，２６上にそれぞれ表示されるようになる。このルート２８，２９は、地図２５，２６の輝度よりも高い輝度で、例えば白く光って表示されるので、非常に視認性が高く、視力の弱い人でも分かりやすい。
【００２０】
総合案内２７の位置には、ルート２８の出発点である旨を示す二重丸のマーク２９が表示され、ルート２９の終着点である目的地には、矢印３０が表示される。また、地図２５，２６の各右上には、各階の主要な施設名が表示され、これらのうち目的地である「耳鼻咽喉科」の文言と、その番号との背景が矩形状に光って表示される。この番号は、２階の地図２６上に表示された番号（丸付き数字の２）に対応しており、この番号（丸付き数字の２）が表示された位置が「耳鼻咽喉科」の位置であることを示している。
【００２１】
ＩＣカード１１は、図５に示すように、三層構造をしており、中間層３１を表面１１ａ側の上層３２と、裏面１１ｂ側の下層３３とでサンドイッチ状態に挟んだ構成になっている。上層３２，下層３３は、いずれも中間層３１を保護する薄い保護層であり、上層３２は、不透明の樹脂から形成され、下層３３は、有機ＥＬディスプレイ２４に対応する部分のみが透明で他の部分は不透明の樹脂から形成されている。
【００２２】
中間層３１には、図６に示すように、有機ＥＬディスプレイ２４の他、ＩＣカード１１全体を制御する制御部３５、これに電力を供給する電源である電池３６、制御部３０が情報を書き込んだり参照するＥＥＰＲＯＭ等の不揮発性のメモリ３７、外部と非接触、例えば離間距離が１０ｃｍ以内の距離で通信を行なう通信部３８が設けられている。いずれの構成部品も非常に薄いものであり、例えば２ｍｍ以下である。なお、制御部３５とメモリ３７とは、１個のＩＣチップとしてもよい。
【００２３】
メモリ３７には、地図２５，２６の各地図データの他、図７に示すように、各現在地（総合案内２７，各案内板装置１２が設置された各位置）の位置データ、各目的地の位置データ、各現在地から各目的地へ至る各ルートのデータからなるルートデータベース３９等が予め記憶されている。例えば、現在地が総合案内２７であり、目的地が耳鼻咽喉科１９である場合、現在地から目的地へ至るルート２８，２９のデータは、「ＳＡＪＢ２Ｆ」で表わされるデータである。
【００２４】
案内板装置１２の電気的構成を示す図８において、案内板装置１２には、ＬＥＤ１６を駆動する制御部４１、ＥＥＰＲＯＭ等の不揮発性のメモリ４２、マーク１７の下方に設けられた通信部４３が設けられている。メモリ４２には、案内板装置１２の設置場所を示す現在地の位置データ、各目的地の位置データ、現在地から各目的地までの各ルートのデータからなるルートデータベースが予め記憶されている。
【００２５】
このルートデータベースは、ＩＣカード１１側のルートデータベース３９と同じものをそのまま流用することもできるが、現在地が固定であるから、その他の現在地に係るデータを削除して、メモリ４２に容量が小さいメモリを採用することにより、製造コストの削減を図るのがよい。
【００２６】
このように構成された道案内システム１０の作用を、図９に示すフローチャートを参照して説明する。○○総合病院に初めて来院した患者は、まず正面玄関から院内に入り、総合案内２７で受付を行なう（ｓｔ１）。受付スタッフが、問診表に基づいて、患者の氏名、カルテＮｏ．、受診科（耳鼻咽喉科）をコンピュータに入力すると、コンピュータに接続されたカード作成器（図示せず）によって、表面１１ａに患者の氏名、カルテＮｏ．が、裏面１１ｂに受診科名２１と場所の説明文２２が印刷され、メモリ３７に患者の氏名、カルテＮｏ．、受診科の各データが記憶されたＩＣカード１１が作成される（ｓｔ２）。なお、括弧内のｓｔ（ステップの意）１は、図９に示すｓｔ１に対応する。
【００２７】
２度目以降に来院した患者は、携帯してきたＩＣカード１１を総合案内２７付近に設置されている受付端末（図示せず）のマーク１７にかざすと、受診科である耳鼻咽喉科１９に患者の来院が通知され、受付が完了する（ｓｔ３）。
【００２８】
受付を済ました患者がＩＣカード１１の有機ＥＬディスプレイ２４の表面を手で触ると、その接触がタッチセンサによって検知される。これにより、制御部３５は、メモリ３７から地図データを読み出すとともに、総合案内２７の位置データと目的地である耳鼻咽喉科１９の位置データとに基づいてルートデータベース３９から、総合案内２７から耳鼻咽喉科１９へ至るルートのデータを読み出し、有機ＥＬディスプレイ２４に５秒間、地図２５，２６と、ルート２８，２９とをそれぞれ表示する（ｓｔ４）。
【００２９】
患者は、有機ＥＬディスプレイ２４に表示されたルート２８，２９に沿って進むが、途中で不安になったら、随時、携帯しているＩＣカード１１の有機ＥＬディスプレイ２４に手を触れ、有機ＥＬディスプレイ２４に地図２５，２６及びルート２８，２９を表示させて確認することができる。ルート２８，２９は光って見えるので、多少暗い場所でもはっきりと見ることができる。
【００３０】
不慣れな患者は、地図２５，２６及びルート２８，２９を見ながらでも、道に迷ってしまう場合もある（ｓｔ５）。そのような場合には、通路の交差点やエレベータホール等の壁に設置されている案内板装置１２のマーク１７に、ＩＣカード１１をかざす（ｓｔ６）。
【００３１】
案内板装置１２の通信部４３はＩＣカード１１の通信部３８と通信し、案内板装置１２の制御部４１は、ＩＣカード１１のメモリ３７から目的地である耳鼻咽喉科１９の位置データを取り込み、メモリ４２に記憶する。これと同時に、ＩＣカード１１の制御部３５は、案内板装置１２のメモリ４２から現在地、例えば交差点２ＦＢの位置データを読み出して、メモリ３７に記憶する。
【００３２】
制御部４１は、メモリ４２に予め記憶してあるルートデータベースから、交差点２ＦＢから耳鼻咽喉科１９へ至るルート２０のデータを読み出し、対応するＬＥＤ１６を駆動する。これにより、交差点２ＦＢに対応するＬＥＤ１６が点滅点灯すると同時に、ルート２０に対応する他のＬＥＤ１６が一斉に連続点灯する（ｓｔ７）。これを見て、患者は、自分がいる交差点２ＦＢから耳鼻咽喉科１９までのルート２０を確認できる。
【００３３】
ＬＥＤ１６の点滅点灯及び連続点灯は、例えば１０秒間が経過すると、消灯されるが、案内板装置１２のマーク１７にＩＣカード１１をかざせば、何度でもＬＥＤ１６を点灯させることができる。なお、患者が進むべき方向を示すように、点灯するＬＥＤ１６が、交差点２ＦＢから耳鼻咽喉科１９に向かって順次に移動するように駆動してもよい。
【００３４】
一方、ＩＣカード１１の制御部３５は、交差点２ＦＢの位置データと耳鼻咽喉科１９の位置データとからルートデータを特定する。これにより、案内板装置１２のマーク１７にかざした後のＩＣカード１１の有機ＥＬディスプレイ２４に手を触れると、総合案内２７から耳鼻咽喉科１９までのルート２８，２９（図４参照）の代わりに、図１０に示すように、交差点２ＦＢから耳鼻咽喉科１９までのルート４５が地図２５，２６と一緒に発光表示される（ｓｔ８）。
【００３５】
患者は、案内板装置１２の前を離れ、交差点２ＦＢから耳鼻咽喉科１９に向かって進むと、案内板装置１２のＬＥＤ１６によるルート２０の表示を見ることができなくなるが、携帯しているＩＣカード１１の有機ＥＬディスプレイ２４に表示されるルート４５をいつでも見ることができるから、安心して耳鼻咽喉科１９に向かって進むことができる。このため、迷うことなく、耳鼻咽喉科１９に到着することができる（ｓｔ９）。
【００３６】
なお、耳鼻咽喉科１９に到着できず（ｓｔ９）、さらに迷ってしまった場合には（ｓｔ５）、近くにある案内板装置１２を捜して、ＩＣカード１１をマーク１７にかざし（ｓｔ６）、案内板装置１２に現在地から耳鼻咽喉科１９へ至るルートを表示させる（ｓｔ７）とともに、ＩＣカード１１に現在地から耳鼻咽喉科１９へ至るルートを表示させる（ｓｔ８）というシーケンスを繰り返し行なう。
【００３７】
このように道案内システム１０は、ＩＣカード１１と案内板装置１２とからなり、これらが互いの通信部を介して現在地や目的地の情報を交換し合うことによって、現在地から目的地へ至るルートを表示するシンプルな構成であるから、大規模なサーバや通信網を必要とせず、ローコストに施設（本実施形態の例では○○総合病院）内の道案内を行なうことができる。
【００３８】
また、ＩＣカードの表面や裏面に地図を印刷する場合と異なり、ＩＣカードの表示部に表示を任意に変更できる有機ＥＬディスプレイを用いたから、○○総合病院を建て替えた場合や、別の施設に本発明の道案内システムを適用する場合でも、ＩＣカード内のメモリに記憶させておく地図データやルートデータベースのデータを変更するだけで、ＩＣカードをそのまま流用することができる。
【００３９】
以上説明した実施形態では、ＩＣカードの表示部に有機ＥＬディスプレイを用いたが、本発明はこれに限定されることなく、例えば、現在地から各目的地までのルートに対応する各領域に、矩形状に裁断した有機ＥＬシートをそれぞれ配置し、この上に例えば半透明の樹脂シートを被せ、この樹脂シートに、各ルートが光透過に、かつ地図が光不透過になるように印刷を施し、光らせたいルートの下方に配置された有機ＥＬシートを発光させるようにしてもよい。
【００４０】
また、有機ＥＬディスプレイの代わりに、周知の電子ペーパーを用いてもよい。電子ペーパーを用いた場合には、表示画像を変更する場合のみ通電すれば済むので、電池の寿命がより長くなるとともに、フレキシブルなＩＣカードも実現可能である。
【００４１】
上記実施形態では、案内板装置でのルート表示にＬＥＤを用いたが、本発明はこれに限定されることなく、例えば小型ランプでもよい。また、案内板装置の表面に液晶ディスプレイ等の薄型表示パネルを設け、地図ごとルートを表示するようにしてもよい。
【００４２】
上記実施形態では、目的地を「耳鼻咽喉科」としたが、本発明はこれに限定されることなく、例えば「内科」や「外科」等でもよいのは勿論である。また、本発明を適用する施設として、総合病院の例を挙げたが、本発明はこれに限定されることなく、例えば映画館や、イベント会場、ショッピングセンター、大駐車場などにも適用できる。特に、映画館に適用した場合、有機ＥＬディスプレイにより地図やルートを光らせることができるので、薄暗い館内でも席を捜しやすいというメリットがある。また、この場合、有機ＥＬディスプレイの全面を光らせ、懐中電灯代わりに用いることも可能である。
【図面の簡単な説明】
【００４３】
【図１】本発明の実施形態である道案内システムを示す説明図である。
【図２】案内板装置の地図に埋め込まれたＬＥＤの一部を示す説明図である。
【図３】ＩＣカードの表面を示す説明図である。
【図４】ＩＣカードの裏面を示す説明図である。
【図５】ＩＣカードの側面を示す説明図である。
【図６】ＩＣカードの電気的構成を示すブロック図である。
【図７】ＩＣカードのメモリに記憶されているルートデータベースの概略を示す説明図である。
【図８】案内板装置の電気的構成を示すブロック図である。
【図９】道案内システムの主なシーケンスを示すフローチャートである。
【図１０】ＩＣカードの有機ＥＬディスプレイにルートを表示した状態を示す説明図である。
【符号の説明】
【００４４】
１０  道案内システム
１１  ＩＣカード
１２  案内板装置
１６  ＬＥＤ
１７  マーク
２０，２８，２９，４５  ルート
２４  有機ＥＬディスプレイ
３５，４１  制御部
３６  電池
３７，４２  メモリ
３８，４３  通信部
３９  ルートデータベース
【図１】
2010079784.tif 000003
【図２】
2010079784.tif 000004
【図３】
2010079784.tif 000005
【図４】
2010079784.tif 000006
【図５】
2010079784.tif 000007
【図６】
2010079784.tif 000008
【図７】
2010079784.tif 000009
【図８】
2010079784.tif 000010
【図９】
2010079784.tif 000011
【図１０】
2010079784.tif 000012